(57)【特許請求の範囲】
【請求項１】
電子ビームにより、ウェハにパターンを露光する電子ビーム露光装置であって、
前記電子ビームを発生する電子ビーム発生部と、
前記電子ビームを成形する複数の開口部を有する電子ビーム成形部材と、
前記電子ビームを結像する電子レンズと、
を備え、
前記複数の開口部は、前記電子ビーム成形部材の予め定められた位置からの距離および方向の少なくとも一方に応じた、前記電子レンズの集束位置による縮率の違いを見込んだ形状を有し、
前記複数の開口部のうちの第１開口部の、前記電子ビームの照射方向に略垂直な第１方向における開口幅と、前記第１開口部により成形された前記電子ビームによって前記ウェハに露光すべきパターンの前記第１方向に対応する方向におけるパターン幅との比率である第１の比率と、前記複数の開口部のうちの第２開口部の前記第１方向における開口幅と、前記第２開口部により成形された前記電子ビームによって前記ウェハに露光すべきパターンの前記第１方向に対応する方向におけるパターン幅との比率である第２の比率とは異なることを特徴とする、
電子ビーム露光装置。
【請求項２】
前記複数の開口部のうちの第１開口部の、前記第１方向と直交する第２方向における開口幅と、前記第１開口部により成形された前記電子ビームによって前記ウェハに露光すべきパターンの前記第２方向に対応する方向におけるパターン幅との比率である第３の比率と、前記複数の開口部のうちの第２開口部の前記第２方向における開口幅と、前記第２開口部により成形された前記電子ビームによって前記ウェハに露光すべきパターンの前記第２方向に対応する方向におけるパターン幅との比率である第４の比率とは異なることを特徴とする、
請求項１に記載の電子ビーム露光装置。
【請求項３】
前記第１の比率と前記第３の比率とが略等しく、前記第２の比率と前記第４の比率とが略等しいことを特徴とする、
請求項２に記載の電子ビーム露光装置。
【請求項４】
前記第１開口部は、前記電子ビーム成形部材の前記予め定められた位置から、前記第２開口部より遠い位置に設けられており、
前記第２の比率は、前記第１の比率よりも大きいことを特徴とする、
請求項１から請求項３までの何れか一項に記載の電子ビーム露光装置。
【請求項５】
前記第１開口部と前記第２開口部とは、前記電子ビーム成形部材の前記予め定められた位置から異なる方向に、かつ前記電子ビーム成形部材の前記予め定められた位置から略等しい距離に設けられており、
前記第２の比率は、前記第１の比率よりも大きいことを特徴とする、
請求項１から請求項４までの何れか一項に記載の電子ビーム露光装置。
【発明の詳細な説明】
【０００１】
【発明の属する技術分野】
本発明は、電子ビーム露光装置に関する。特に本発明は、ウェハにパターンを精度良く露光する電子ビーム露光装置に関する。
【０００２】
【従来の技術】
従来の電子ビーム露光装置は、電子ビームを発生する電子銃と、電子ビームを成形する複数の開口部を有するマスクと、電子ビームをマスクの所定の開口部に偏向する第１偏向器と、第１偏向器によって偏向された電子ビームを所定の位置に振り戻す第２偏向器と、電子ビームが通過する開口部を有するアパーチャと、アパーチャを通過させるべく電子ビームの断面を縮小する縮小レンズと、アパーチャを通過した電子ビームをウェハ上に投影する投影レンズとを備える。従来の電子ビーム露光装置では、縮小レンズ及び投影レンズのレンズ強度を調整することにより、ウェハに投影される電子ビームの断面形状の縮小率及び回転を調整する。
【０００３】
【発明が解決しようとする課題】
しかしながら、従来の電子ビーム露光装置において、マスクがマスクの中心に設けられた開口部以外の開口部によって電子ビームを成形し、縮小レンズがレンズ軸以外の部分で電子ビームを縮小した場合、ウェハに投影された電子ビームが所望の断面形状を有さず、ウェハに露光すべきパターンを正確に露光することができないという問題がある。
【０００４】
そこで本発明は、上記の課題を解決することのできる電子ビーム露光装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、電子ビームにより、ウェハにパターンを露光する電子ビーム露光装置であって、電子ビームを発生する電子ビーム発生部と、電子ビームを成形する複数の開口部を有する電子ビーム成形部材とを備え、複数の開口部のうちの第１開口部の、電子ビームの照射方向に略垂直な第１方向における開口幅と、第１開口部により成形された電子ビームによってウェハに露光すべきパターンの第１方向に対応する方向におけるパターン幅との比率である第１の比率と、複数の開口部のうちの第２開口部の第１方向における開口幅と、第２開口部により成形された電子ビームによってウェハに露光すべきパターンの第１方向に対応する方向におけるパターン幅との比率である第２の比率とは異なる。
【０００６】
複数の開口部のうちの第１開口部の、第１方向と直交する第２方向における開口幅と、第１開口部により成形された電子ビームによってウェハに露光すべきパターンの第２方向に対応する方向におけるパターン幅との比率である第３の比率と、複数の開口部のうちの第２開口部の第２方向における開口幅と、第２開口部により成形された電子ビームによってウェハに露光すべきパターンの第２方向に対応する方向におけるパターン幅との比率である第４の比率とは異なってもよい。また、第１の比率と第３の比率とが略等しく、第２の比率と第４の比率とが略等しくてもよい。
【０００７】
第１開口部は、電子ビーム成形部材における所定の位置から、第２開口部より遠い位置に設けられており、第２の比率は、第１の比率よりも大きくてもよい。
第１開口部と第２開口部とは、電子ビーム成形部材の所定の位置から異なる方向に、かつ電子ビーム成形部材の所定の位置から略等しい距離に設けられており、第２の比率は、第１の比率よりも大きくてもよい。
【０００８】
なお上記の発明の概要は、本発明の必要な特徴の全てを列挙したものではなく、これらの特徴群のサブコンビネーションも又発明となりうる。
【０００９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１０】
図１は、本発明の一実施形態に係る電子ビーム露光装置１００の構成図である。電子ビーム露光装置１００は、電子ビームによりウェハ６４に所定の露光処理を施すための露光部１５０と、露光部１５０の各構成の動作を制御する制御系１４０とを備える。
【００１１】
露光部１５０は、筐体１０内部に、所定の電子ビームを照射する電子ビーム照射系１１０と、電子ビーム照射系１１０から照射された電子ビームを偏向するとともに、マスク３０近傍における電子ビームの結像位置を調整するマスク用投影系１１２と、電子ビームのウェハ６４近傍における結像位置を調整する焦点調整レンズ系１１４と、マスク３０を通過した電子ビームをウェハステージ６２に載置されたウェハ６４の所定の領域に偏向するとともに、ウェハ６４に転写されるパターンの像の向き及びサイズを調整するウェハ用投影系１１６を含む電子光学系を備える。
【００１２】
また、露光部１５０は、ウェハ６４に露光すべきパターンをそれぞれ形成された複数のブロックを有するマスク３０を載置するマスクステージ７２と、マスクステージ７２を駆動するマスクステージ駆動部６８と、パターンを露光すべきウェハ６４を載置するウェハステージ６２と、ウェハステージ６２を駆動するウェハステージ駆動部７０とを含むステージ系を備える。さらに、露光部１５０は、電子光学系の調整のために、ウェハステージ６２側から飛散する電子を検出して、飛散した電子量に相当する電気信号に変換する電子検出器６０を有する。
【００１３】
電子ビーム照射系１１０は、電子ビームを発生させる電子ビーム発生部の一例である電子銃１２による、電子ビームの焦点位置を定める第１電子レンズ１４と、電子ビームを通過させる矩形形状の開口（スリット）が形成されたスリット部１６とを有する。電子銃１２は、安定した電子ビームを発生するのに所定の時間がかかるので、電子銃１２は、露光処理期間において常に電子ビームを発生してもよい。スリットは、マスク３０に形成された所定のパターンを含むブロックの形状に合わせて形成されるのが好ましい。図１において、電子ビーム照射系１１０から照射された電子ビームが、電子光学系により偏向されない場合の電子ビームの光軸を、一点鎖線Ａで表現する。
【００１４】
マスク用投影系１１２は、電子ビームを偏向するマスク用偏向系としての第１偏向器１８、第２偏向器２２及び第３偏向器２６と、電子ビームの焦点を調整するマスク用焦点系としての第２電子レンズ２０、さらに、第１ブランキング電極２４を有する。第１偏向器１８及び第２偏向器２２は、電子ビームをマスク３０上の所定の領域に照射する偏向を行う。例えば、所定の領域は、ウェハ６４に転写するパターンを有するブロックであってよい。電子ビームがパターンを通過することにより、電子ビームの断面形状は、パターンと同一の形状になる。所定のパターンが形成されたブロックを通過した電子ビームの像をパターン像と定義する。第３偏向器２６は、第１偏向器１８及び第２偏向器２２を通過した電子ビームの軌道を光軸Ａに略平行に偏向する。第２電子レンズ２０は、スリット部１６の開口の像を、マスクステージ７２上に載置されるマスク３０上に結像させる機能を有する。
【００１５】
第１ブランキング電極２４は、マスク３０に形成されたブロックに電子ビームが当たらないように電子ビームを偏向する。第１ブランキング電極２４は、マスク３０に電子ビームが当たらないように電子ビームを偏向することが好ましい。電子ビームが照射されるにつれてマスク３０に形成されたパターンは劣化するので、第１ブランキング電極２４は、パターンをウェハ６４に転写するとき以外は、電子ビームを偏向する。従って、マスク３０の劣化を防止することができる。焦点調整レンズ系１１４は、第３電子レンズ２８と、第４電子レンズ３２とを有する。第３電子レンズ２８及び第４電子レンズ３２は、電子ビームのウェハ６４に対する焦点を合わせる。ウェハ用投影系１１６は、第５電子レンズ４０と、第６電子レンズ４６と、第７電子レンズ５０と、第８電子レンズ５２と、第９電子レンズ６６と、第４偏向器３４と、第５偏向器３８と、第６偏向器４２と、主偏向器５６と、副偏向器５８と、第２ブランキング電極３６と、ラウンドアパーチャ部４８とを有する。
【００１６】
電界や磁界の影響を受けてパターン像は回転してしまう。第５電子レンズ４０は、マスク３０の所定のブロックを通過した電子ビームのパターン像の回転量を調整する。第６電子レンズ４６及び第７電子レンズ５０は、マスク３０に形成されたパターンに対する、ウェハ６４に転写されるパターン像の縮小率を調整する。第８電子レンズ５２及び第９電子レンズ６６は、対物レンズとして機能する。第４偏向器３４及び第６偏向器４２は、電子ビームの進行方向に対するマスク３０の下流において、電子ビームを光軸Ａの方向に偏向する。第５偏向器３８は、電子ビームを光軸Ａに略平行になるように偏向する。主偏向器５６及び副偏向器５８は、ウェハ６４上の所定の領域に電子ビームが照射されるように、電子ビームを偏向する。本実施形態では、主偏向器５６は、１ショットの電子ビームで照射可能な領域（ショット領域）を複数含むサブフィールド間で電子ビームを偏向するために用いられ、副偏向器５８は、サブフィールドにおけるショット領域間の偏向のために用いられる。
【００１７】
ラウンドアパーチャ部４８は、円形の開口（ラウンドアパーチャ）を有する。第２ブランキング電極３６は、ラウンドアパーチャの外側に当たるように電子ビームを偏向する。従って、第２ブランキング電極３６は、電子ビームの進行方向に対してラウンドアパーチャ部４８から下流に電子ビームが進行することを防ぐことができる。電子銃１２は、露光処理期間において常に電子ビームを照射するので、第２ブランキング電極３６は、ウェハ６４に転写するパターンを変更するとき、更には、パターンを露光するウェハ６４の領域を変更するときに、ラウンドアパーチャ部４８から下流に電子ビームが進行しないように電子ビームを偏向することが望ましい。
【００１８】
制御系１４０は、統括制御部１３０及び個別制御部１２０を備える。個別制御部１２０は、偏向制御部８２と、マスクステージ制御部８４と、ブランキング電極制御部８６と、電子レンズ制御部８８と、反射電子処理部９０と、ウェハステージ制御部９２とを有する。統括制御部１３０は、例えばワークステーションであって、個別制御部１２０に含まれる各制御部を統括制御する。偏向制御部８２は、偏向量を示す偏向データを、第１偏向器１８、第２偏向器２２、第３偏向器２６、第４偏向器３４、第５偏向器３８、第６偏向器４２、主偏向器５６、及び副偏向器５８に供給し、第１偏向器１８、第２偏向器２２、第３偏向器２６、第４偏向器３４、第５偏向器３８、第６偏向器４２、主偏向器５６、及び副偏向器５８の偏向量を制御する。マスクステージ制御部８４は、マスクステージ駆動部６８を制御して、マスクステージ７２を移動させる。
【００１９】
ブランキング電極制御部８６は、第１ブランキング電極２４及び第２ブランキング電極３６を制御する。本実施形態では、第１ブランキング電極２４及び第２ブランキング電極３６は、露光時には、電子ビームをウェハ６４に照射させ、露光時以外には、電子ビームをウェハ６４に到達させないように制御されるのが望ましい。電子レンズ制御部８８は、第１電子レンズ１４、第２電子レンズ２０、第３電子レンズ２８、第４電子レンズ３２、第５電子レンズ４０、第６電子レンズ４６、第７電子レンズ５０、第８電子レンズ５２および第９電子レンズ６６に供給する電力を制御する。反射電子処理部９０は、反射電子検出部６０により検出された電気信号に基づいて電子量を示すデジタルデータを検出する。ウェハステージ制御部９２は、ウェハステージ駆動部７０によりウェハステージ６２を所定の位置に移動させる。
【００２０】
本実施形態に係る電子ビーム露光装置１００の動作について説明する。マスクステージ７２上には、所定のパターンを形成された複数のブロックを有するマスク３０が載置され、マスク３０は、所定の位置に固定されている。マスク３０は電子ビーム成形部材の一例であり、またブロックは開口部の一例である。また、ウェハステージ６２上には、露光処理が施されるウェハ６４が載置されている。ウェハステージ制御部９２は、ウェハステージ駆動部７０によりウェハステージ６２を移動させて、ウェハ６４の露光されるべき領域が光軸Ａ近傍に位置するようにする。また、電子銃１２は、露光処理期間において常に電子ビームを照射するので、露光の開始前において、スリット部１６の開口を通過した電子ビームがマスク３０およびウェハ６４に照射されないように、ブランキング電極制御部８６が第１ブランキング電極２４及び第２ブランキング電極３６を制御する。マスク用投影系１１２において、電子レンズ２０及び偏向器（１８、２２、２６）は、ウェハ６４に転写するパターンが形成されたブロックに電子ビームを照射できるように調整される。焦点調整レンズ系１１４において、電子レンズ（２８、３２）は、電子ビームのウェハ６４に対する焦点が合うように調整される。また、ウェハ用投影系１１６において、電子レンズ（４０、４６、５０、５２、６６）及び偏向器（３４、３８、４２、５６、５８）は、ウェハ６４の所定の領域にパターン像を転写できるように調整される。
【００２１】
マスク投影系１１２、焦点調整レンズ系１１４及びウェハ用投影系１１６が調整された後、ブランキング電極制御部８６が、第１ブランキング電極２４及び第２ブランキング電極３６による電子ビームの偏向を停止する。これにより、以下に示すように、電子ビームはマスク３０を介してウェハ６４に照射される。電子銃１２が電子ビームを生成し、第１電子レンズ１４が電子ビームの焦点位置を調整して、スリット部１６に照射させる。そして、第１偏向器１８及び第２偏向器２２がスリット部１６の開口を通過した電子ビームをマスク３０の転写すべきパターンが形成された所定の領域に照射するように偏向する。スリット部１６の開口を通過した電子ビームは、矩形の断面形状を有している。第１偏向器１８及び第２偏向器２２により偏向された電子ビームは、第３偏向器２６により光軸Ａと略平行になるように偏向される。また、電子ビームは、第２電子レンズ２０により、マスク３０上の所定の領域にスリット部１６の開口の像が結像するように調整される。
【００２２】
そして、マスク３０に形成されたパターンを通過した電子ビームは、第４偏向器３４及び第６偏向器４２により光軸Ａに近づく方向に偏向され、第５偏向器３８により、光軸Ａと略平行になるように偏向される。また、電子ビームは、第３電子レンズ２８及び第４電子レンズ３２により、マスク３０に形成されたパターンの像がウェハ６４の表面に焦点が合うように調整され、第５電子レンズ４０によりパターン像の回転量が調整され、第６電子レンズ４６及び第７電子レンズ５０により、パターン像の縮小率が調整される。それから、電子ビームは、主偏向器５６及び副偏向器５８により、ウェハ６４上の所定のショット領域に照射されるように偏向される。本実施形態では、主偏向器５６が、ショット領域を複数含むサブフィールド間で電子ビームを偏向し、副偏向器５８が、サブフィールドにおけるショット領域間で電子ビームを偏向する。所定のショット領域に偏向された電子ビームは、電子レンズ５２及び電子レンズ６６によって調整されて、ウェハ６４に照射される。これによって、ウェハ６４上の所定のショット領域には、マスク３０に形成されたパターンの像が転写される。
【００２３】
所定の露光時間が経過した後、ブランキング電極制御部８６が、電子ビームがマスク３０およびウェハ６４を照射しないように、第１ブランキング電極２４及び第２ブランキング電極３６を制御して、電子ビームを偏向させる。以上のプロセスにより、ウェハ６４上の所定のショット領域に、マスク３０に形成されたパターンが露光される。次のショット領域に、マスク３０に形成されたパターンを露光するために、マスク用投影系１１２において、電子レンズ２０及び偏向器（１８、２２、２６）は、ウェハ６４に転写するパターンを有するブロックに電子ビームを照射できるように調整される。焦点調整レンズ系１１４において、電子レンズ（２８、３２）は、電子ビームのウェハ６４に対する焦点が合うように調整される。また、ウェハ用投影系１１６において、電子レンズ（４０、４６、５０、５２、６６）及び偏向器（３４、３８、４２、５６、５８）は、ウェハ６４の所定の領域にパターン像を転写できるように調整される。
【００２４】
具体的には、副偏向器５８は、マスク用投影系１１２により生成されたパターン像が、次のショット領域に露光されるように電界を調整する。この後、上記同様に当該ショット領域にパターンを露光する。サブフィールド内のパターンを露光すべきショット領域のすべてにパターンを露光した後に、主偏向器５６は、次のサブフィールドにパターンを露光できるように磁界を調整する。電子ビーム露光装置１００は、この露光処理を、繰り返し実行することによって、所望の回路パターンを、ウェハ６４に露光することができる。
【００２５】
本発明による電子ビーム処理装置である電子ビーム露光装置１００は、可変矩形を用いた電子ビーム露光装置であってもよく、また、ブランキング・アパーチャ・アレイ・デバイスを用いた電子ビーム露光装置であってもよい。また、本発明による電子ビーム処理装置は、複数の電子ビームにより、ウェハにパターンを露光するマルチビーム露光装置でもよい。
【００２６】
図２は、マスク３０の開口部の形状と、当該ブロックを通過してウェハに露光されるパターンの形状とを説明する図である。図２（ａ）は、マスク３０及びウェハ６４の断面図を示す。また、図２（ｂ）は、マスク３０の上面図を示す。本実施形態に係るマスク３０は、電子ビームを成形する複数の開口部２００を有する。マスク３０は、複数の開口部２００うちのいずれかの開口部を通過させることにより、電子ビームを成形する。そして、第４偏向器３４は、開口部２００Ｃ、開口部２００Ａ、又は開口部２００Ｂを通過した電子ビームを、光軸Ａの方向に偏向する。そして、第５偏向器３８は、第４偏向器３４によって偏向された電子ビームをウェハ６４に略垂直な方向に偏向する。そして、主偏向器５６及び副偏向器５８は、第５偏向器３８によって偏向された電子ビームを、ウェハ６４上の所定の領域に電子ビームが照射されるように偏向する。そして、ウェハ６４に所望のパターン２０６が露光される。
【００２７】
本実施形態に係るマスク３０の複数の開口部は、それぞれの開口部が成形した電子ビームのそれぞれによって所望のパターンを露光するために、マスク３０における開口部の位置に基づいて、意図しない電子ビームの断面形状の変形を見込んだ形状に設計される。例えば、電子レンズにおける通過位置によって異なる電子ビームの縮率に基づいて、複数の開口部は異なる大きさに設計される。
【００２８】
図２（ｃ）は、マスク３０が有する開口部２００Ａと、開口部２００Ａによって成形されてウェハ６４に露光されたパターン２０６Ａとを示す。また、図２（ｄ）は、マスク３０が有する開口部２００Ｂと、開口部２００Ｂによって成形されてウェハ６４に露光されたパターン２０６Ｂとを示す。
【００２９】
図２（ｃ）及び（ｄ）に示すように、開口部２００Ａの、電子ビームの照射方向に略垂直な第１方向における開口幅Ｘ１と、開口部２００Ａにより成形された電子ビームによってウェハ６４に露光されるパターン２０６Ａの前記第１方向に対応する方向におけるパターン幅Ｘ１’との比率ａと、開口部２００Ｂの前記第１方向における開口幅Ｘ２と、開口部２００Ｂにより成形された電子ビームによってウェハ６４に露光されるパターンの前記第１方向に対応する方向におけるパターン幅Ｘ２’との比率ｂとは異なる。また、開口部２００Ａの、前記第１方向と直交する第２方向における開口幅Ｙ１と、開口部２００Ａにより成形された電子ビームによってウェハ６４に露光されるパターンの前記第２方向に対応する方向におけるパターン幅Ｙ１’との比率ａ’と、開口部２００Ｂの前記第２方向における開口幅Ｙ２と、開口部２００Ｂにより成形された電子ビームによってウェハ６４に露光されるパターンの前記第２方向に対応する方向におけるパターン幅Ｙ２’との比率ｂ’とは異なる。
【００３０】
本実施形態に係る電子ビーム露光装置１００によれば、マスク３０は意図しない電子ビームの断面形状の変形を見込んだ形状の複数の開口部を有するため、いずれの開口部により電子ビームを成形しても所望の形状の電子ビームをウェハに照射することができる。
【００３１】
また、他の例において、比率ａと比率ａ’とが略等しく、比率ｂと比率ｂ’とが略等しくてもよい。つまり、開口部２００Ａは、開口部２００Ａにより成形された電子ビームによってウェハ６４に露光されるパターン２０６Ａを倍率１／ａ（＝１／ａ’）で拡大した形状であり、開口部２００Ｂは、開口部２００Ｂにより成形された電子ビームによってウェハ６４に露光されるパターン２０６Ｂを倍率１／ｂ（＝１／ｂ’）で拡大した形状であってもよい。本例に係るマスク３０によれば、複数の開口部は、電子レンズにおける集束位置による電子ビームの縮率の違いを見込んだ形状を有するため、電子レンズにより形成される磁界において異なる位置で集束された場合であっても、所望の形状のパターンを露光することができる。
【００３２】
また、図２（ａ）及び（ｂ）に示すように、開口部２００Ｂは、マスク３０の所定の位置から、開口部２００Ａより遠い位置に設けられた場合に、比率ｂは、比率ａよりも大きくてもよく、また小さくてもよい。つまり、マスク３０の中心、開口部２００Ａ、光軸Ａ、又は電子レンズのレンズ軸からの距離に応じて、開口部の大きさと、当該開口部により成形された電子ビームによってウェハ６４に露光されるパターンの大きさとの比率を変化させてもよい。また、比率ｂは、マスク３０の中心、開口部２００Ａ、光軸Ａ、又は電子レンズの瞳面の中心軸であるレンズ軸からの距離が開口部２００Ｂと略等しい開口部２００Ｄの前記第１方向における開口幅と、開口部２００Ｄにより成形された電子ビームによってウェハ６４に露光されるパターンの前記第１方向に対応する方向におけるパターンの大きさとの比率ｄと略等しくてもよい。本例に係るマスク３０によれば、複数の開口部は、マスク３０の所定の位置からの距離に応じた形状を有するため、電子レンズのレンズ軸からの距離によって電子ビームの縮率が異なる場合であっても、所望の形状のパターンを露光することができる。
【００３３】
また、図２（ａ）及び（ｂ）に示すように、開口部２００Ｃと開口部２００Ｂとは、マスク３０の所定の位置から異なる方向に、かつマスク３０の所定の位置から略等しい距離に設けられた場合に、比率ｂは、開口部２００Ｃの前記第１方向における開口幅と、開口部２００Ｃにより成形された電子ビームによってウェハ６４に露光されるパターンの前記第１方向に対応する方向におけるパターン幅との比率ｅよりも大きくてもよく、また小さくてもよい。つまり、マスク３０の中心、開口部２００Ａ、光軸Ａ、又は電子レンズのレンズ軸からの方向に応じて、開口部の大きさと、当該開口部により成形された電子ビームによってウェハ６４に露光されるパターンの大きさとの比率を変化させてもよい。本例に係るマスク３０によれば、複数の開口部は、マスク３０の所定の位置からの方向に応じた形状を有するため、電子レンズのレンズ軸からの方向によって電子ビームの縮率が異なる場合であっても、所望の形状のパターンを露光することができる。
【００３４】
また、他の例においては、開口部２００Ｃと開口部２００Ｄとは、マスク３０の所定の位置から異なる方向に、かつマスク３０の所定の位置から略等しい距離に設けられており、マスク３０所定の位置からの方向である第３方向における開口部２００Ｄの開口幅と、開口部２００Ｄにより成形された電子ビームによってウェハ６４に露光されるパターンの前記第３方向に対応する方向におけるパターン幅との比率ｄ’は、マスク３０の所定の位置からの方向である第４方向における開口部２００Ｃの開口幅と、開口部２００Ｃにより成形された電子ビームによってウェハ６４に露光されるパターンの前記第４方向に対応する方向におけるパターン幅との比率ｅ’よりも大きくてもよく、また小さくてもよい。つまり、マスク３０の中心、開口部２００Ａ、光軸Ａ、又は電子レンズのレンズ軸からの方向に応じて、開口部の大きさと、当該開口部により成形された電子ビームによってウェハ６４に露光されるパターンの大きさとの比率を変化させてもよい。本例に係るマスク３０によれば、複数の開口部は、マスク３０の所定の位置からの方向に応じた形状を有するため、電子レンズが形成する磁界が歪んでいる場合であっても、所望の形状のパターンを露光することができる。
【００３５】
本実施形態に係る電子ビーム露光装置１００によれば、マスク３０は、電子レンズの集束位置による縮率の違い等による意図しない電子ビームの断面形状の変形を見込んだ形状の複数の開口部を有するため、いずれの開口部により電子ビームを成形しても所望の形状の電子ビームをウェハに照射することができる。ひいては、本実施形態に係る電子ビーム露光装置１００によれば、ウェハにパターンを精度良く露光することができる。
【００３６】
以上、本発明を実施の形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３７】
【発明の効果】
上記説明から明らかなように、本発明によれば、ウェハにパターンを精度良く露光する電子ビーム露光装置を提供することができる。
【図面の簡単な説明】
【図１】本発明の一実施形態に係る電子ビーム露光装置１００の構成図である。
【図２】マスク３０のブロックの形状と、当該ブロックを通過してウェハに露光されるパターンの形状とについて説明する図である。
【符号の説明】
１０・・・筐体、１２・・・電子銃、１４・・・第１電子レンズ、１６・・・スリット部、１８・・・第１偏向器、２０・・・第２電子レンズ、２２・・・第２偏向器、２４・・・第１ブランキング偏向器、２６・・・第３偏向器、２８・・・第３電子レンズ、３０・・・マスク、３２・・・第４電子レンズ、３４・・・第４偏向器、３６・・・第２ブランキング偏向器、３８・・・第５偏向器、４０・・・第５電子レンズ、４２・・・第６偏向器、４６・・・第６電子レンズ、４８・・・ラウンドアパーチャ、５０・・・第７電子レンズ、５２・・・第８電子レンズ、５６・・・主偏向器、５８・・・副偏向器、６０・・・電子検出器、６２・・・ウェハステージ、６４・・・ウェハ、６６・・・第９電子レンズ、６８・・・マスクステージ駆動部、７０・・・ウェハステージ駆動部、７２・・・マスクステージ、８２・・・偏向制御部、８４・・・マスクステージ制御部、８６・・・ブランキング電極制御部、８８・・・電子レンズ制御部、９０・・・反射電子処理部、９２・・・ウェハステージ制御部、１００・・・電子ビーム露光装置、１１０・・・電子ビーム照射系、１１２・・・マスク用投影系、１１４・・・焦点調整レンズ系、１１６・・・ウェハ用投影系、１２０・・・個別制御部、１３０・・・統括制御部、１４０・・・制御系、１５０・・・露光部、２００・・・開口部、２０６・・・パターン
【図１】
0004558240.tif 000002
【図２】
0004558240.tif 000003